【事件の表示】
　平成９年商標登録願第３３７号拒絶査定に対する審判事件について、次のとおり審決する。
【結　論】
　本件審判の請求は、成り立たない。
【理　由】
　本願商標は、「ＶＡＬＥＮＴＩＮＯＲＯＳＳＩ」の文字よりなり、第９類「眼鏡、眼鏡の部品及び附属品」を指定商品として、平成９年１月８日登録出願されたものである。
　これに対し、当審において新たに、平成１３年１１月２１日付けで以下に示す拒絶理由を通知し、期間を指定して意見書を提出する機会を与えたが、請求人（出願人）からは何らの応答もなかった。
　そして、上記拒絶理由は妥当なものと認められるので、本願は、この理由によって拒絶をすべきものである。
　よって、結論のとおり審決する。
　
＜当審において通知した拒絶理由＞
１　本願商標は、「ＶＡＬＥＮＴＩＮＯＲＯＳＳＩ」の文字よりなるところ、その構成中には、後記に示すとおり、イタリア国在住の「ＶＡＬＥＮＴＩＮＯ　ＧＡＲＡＶＡＮＩ」（オランダ国在の関連企業「バレンチノ　グローブ　ベスローテン　フェンノートシャップ社」）が「紳士・婦人服」等に使用している著名な商標「ＶＡＬＥＮＴＩＮＯ」の文字を含んでなるものである。また、本願商標「ＶＡＬＥＮＴＩＮＯＲＯＳＳＩ」が、一般に親しまれた特定の熟語を表すものとか、特定の人名を表すものとして本願指定商品分野の取引者、需要者間に知られているとかの事情は認められない。
２　ところで、「ＶＡＬＥＮＴＩＮＯ　ＧＡＲＡＶＡＮＩ」（ヴァレンティノ　ガラヴァーニ）について職権により証拠調べを行ったところ、下記の証拠により以下のとおりの事実を発見した。
 　　　　　　　　　　　　　　　記
（１）「世界の一流品大図鑑ライフカタログＶＯＬ．１」（昭和５１年６月５日株式会社講談社発行）において、「ヴァレンティノ・ガラバーニ」が、「イタリアファッション界の旗手と呼ばれ、女性を最高に美しく見せるデザイナーとして高く評価されている。」こと、及びその経歴等を紹介する内容とともに「ブラウス、セーター、ネクタイ」の商品の写真が掲載されていること。
（２）「ＥＵＲＯＰＥ一流ブランドの本（講談社ＭＯＯＫ第２巻）」（昭和５２年１２月１日株式会社講談社発行）において、「ヴァレンティノ　ガラバーニ」の所有する店舗の紹介と簡単な経歴が「婦人服」の商品と共に掲載されていること。
（３）「服飾辞典」（昭和５４年３月５日第１刷文化出版局発行）の、ヴァレンチィーノ　ガラヴァーニ［Ｖａｌｅｎｔｉｎｏ　Ｇａｒａｂａｎｉ、１９３２〜］の項に、「イタリア北部の都市（ヴォゲラ）に生まれる。１７才でリセオ（中学）を中退、パリに行く。スチリストになるため、パリのサンジカ（パリ高級衣装店組合の学校）で技術を身につける。１９５１年、ジャン・デッセ（オート・クチュール）のもとで５年間アシスタントとして仕事をする。その後２年間、ギ・ラローシュのアシスタントをし、１９５８年独立、ヴァレンティーノ・クチュールの名でローマに店を開いた。このころ、イタリアのモードは世界的に有名になりつつあった。彼の最初の仕事は、フィレンツェのピッティ宮殿でのコレクションである。このコレクションは、〈白だけの服〉という珍しい演出であったが、その美しさはジャーナリストの間で評判となり、「ニューズ・ウィーク」「ライフ」「タイム」「ウィメンズ・ウェア・デイリー」各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。ヴァレンティ?ノの洋服に対する考えは、まず個性が第一で、彼のコレクションからは、デテールでなくそのエスプリをくみ取ってもらうことに重きをおく。ローマの高級住宅地、アッピア・アンティカに母親とたくさんの犬と暮らしている。仕事でパリとローマを行き来するが、世界中を旅行するなど忙しい日々である。物をつくる人は誰でも波があって、いつも傑作が続くとはかぎらないが、ヴァレンティーノは現在、ローマのオート・クチュール界で最も好調なデザイナーといえる。以前から東洋風なエキゾティシズムが好きで、時によってトルコ風、アラブ風の特色がみられるが、最近はキモノのセクシーさを１９５０年代のハリウッドの雰囲気に表現、あやしく美しいヴァレンティーノの世界をつくり出している。」との紹介記事が掲載されていること。
（４）「朝日新聞」（昭和５７年１１月２０日夕刊第３頁）において、世界の服をリードする３人のうちの１人として「バレンチノ」の紹介記事が掲載されていること。
（５）「男の一流品大図鑑’８５年版」（昭和５９年１２月１日株式会社講談社発行）において、「ＶＡＬＥＮＴＩＮＯ　ＧＡＲＡＶＡＮＩ」「ヴァレンティノ・ガラヴァーニ」の文字と共に、「スーツ、ブルゾン、シャツ、ネクタイ、ベルト及びバッグ」の商品が掲載されていること。
（６）雑誌「ｎｏｎ-ｎｏ」１９８９年　Ｎｏ２３号（平成元年１２月５日株式会社集英社発行）及び「ｍａｒｉｅ　ｃｌａｉｒｅ」（１９９６年２月１日中央公論社発行）において、「ヴァレンティノ　ガラバーニ」が単に「ヴァレンティノ」と略称され、商品「婦人服」等と共に掲載されていること。
（７）「英和商品名辞典」（１９９０年株式会社研究社発行）［Ｖａｌｅｎｔｉｎｏ　Ｇａｒａｖａｎｉ］の項において、「イタリア　Ｒｏｍａのデザイナー　Ｖａｌｅｎｔｉｎｏ　Ｇａｒａｖａｎｉ（１９３２−　）のデザインした婦人・紳士物の衣料品・毛皮・革製バッグ・革小物・ベルト・ネクタイ・アクセサリー・婦人靴・香水・ライター・インテリア用品など。Ｒｏｍａ，Ｆｉｒｅｎｚｅ，Ｍｉｌａｎｏなどにあるその店の名称はＶａｌｅｎｔｉｎｏ（ｖは小文字でかくこともある）。・・・ 」との記事及びデザイナーとしての紹介記事が掲載されていること。
（８）「世界の一流品大図鑑’９３年版」（平成５年５月２０日株式会社講談社発行）において、「ＶＡＬＥＮＴＩＮＯ」ブランドの香水が掲載されていること。
（９）「岩波＝ケンブリッジ　世界人名辞典」（１９９７年１１月２１日株式会社岩波書店発行）の［ガラヴァーニ］の項において「ヴァレンティノ　Ｇａｒａｖａｎｉ，Ｖａｌｅｎｔｉｎｏ　通称ヴァレンティノ　Ｖａｌｅｎｔｉｎｏ（伊　１９３３−　）服飾デザイナー・・・・」との紹介記事が掲載されていること。
　同じく、［ヴァレンティノ　Ｖａｌｅｎｔｉｎｏ］の項において、「ガラヴァーニ、ヴァレンティノ」を見よとの表示があること。
３　以上の事実よりすると、「ＶＡＬＥＮＴＩＮＯ」「ｖａｌｅｎｔｉｎｏ」（ヴァレンティノ）「ＶＡＬＥＮＴＩＮＯ　ＧＡＲＡＶＡＮＩ」「ｖａｌｅｎｔｉｎｏ　ｇａｒａｖａｎｉ」（ヴァレンティノ・ガラヴァーニ）よりなる商標（以下「引用商標」という。）は、ＶＡＬＥＮＴＩＮＯ　ＧＡＲＡＶＡＮＩ氏がデザインした婦人服、紳士服、アクセサリー、バッグ等のファッション関連の商品におけるデザイナーブランドとして、少なくとも本願商標の出願前において、わが国の取引者、需要者の間の広く知られていた事実が認められ、その状態は現在においても継続しているというのが相当である。
４　他方、本願商標は、その構成中に「ＶＡＬＥＮＴＩＮＯ」の文字を有するものであり、前記３において認定したとおり、「ＶＡＬＥＮＴＩＮＯ」は、周知、著名なものであるから、これに接する取引者、需要者は、その構成中の「ＶＡＬＥＮＴＩＮＯ」の文字部分に自ずと注意を惹かれ強く印象づけられるものと認められる。そして、本願商標の指定商品と、引用商標が使用されている商品とは、ともにファッション関連の商品というべきであって、需要者を共通にする場合が多いものといえる。
　そうすると、「ＶＡＬＥＮＴＩＮＯ」の文字を含む本願商標を、その指定商品について使用した場合、取引者、需要者をして、周知、著名である引用商標を連想させ、本願商標が付された商品が、引用商標の一種ないし兄弟ブランド、ファミリーブランドであるかの如く誤認し、その商品があたかも上記デザイナーあるいは、同人と何らかの関係にある者の業務に係る商品であるかの如く、商品の出所について混同を生じさせるおそれがある。
　したがって、本願商標は商標法第４条第１項第１５号に該当する。